(57)【要約】【課題】地下に埋設された貯留槽に雨水等を貯留及び／又は該貯留槽を介して雨水等を土中に浸透させる上下２層構造の雨水貯留浸透施設において、上下構造の崩れを防止することが可能な雨水貯留浸透施設を提供する。【解決手段】貯留槽１が、第１貯留部１Ａと第２貯留部１Ｂとから構成され、第２貯留部１Ｂの上面に第１貯留部１Ａが配置されるとともに、第１貯留部１Ａの第２貯留部１Ｂに対する水平方向の移動が規制されている。ここで、第２貯留部１Ｂを構成する部材により、または第１貯留部１Ａと第２貯留部１Ｂの境界部分に規制部材を設けることにより、第１貯留部１Ａの第２貯留部１Ｂに対する水平方向の移動が規制される。【選択図】図１
2007327294.tif 000002
【特許請求の範囲】
【請求項１】
地下に埋設された貯留槽に雨水等を貯留及び／又は該貯留槽を介して雨水等を土中に浸透させる雨水貯留浸透施設において、
前記貯留槽が、第１貯留部と第２貯留部とから構成され、
前記第２貯留部の上面に第１貯留部が配置されるとともに、第１貯留部の第２貯留部に対する水平方向の移動が規制されていることを特徴とする雨水貯留浸透施設。
【請求項２】
前記第２貯留部を構成する部材により第１貯留部の第２貯留部に対する水平方向の移動が規制されていることを特徴とする請求項１記載の雨水貯留浸透施設。
【請求項３】
前記第１貯留部と第２貯留部の境界部分に規制部材が設けられ、第１貯留部の第２貯留部に対する水平方向の移動が規制されていることを特徴とする請求項１記載の雨水貯留浸透施設。
【請求項４】
前記貯留槽が、第１貯留部と、この第１貯留部よりも強度の強い材質で形成された第２貯留部とから構成されていることを特徴とする請求項１から３のいずれか１項記載の雨水貯留浸透施設。
【請求項５】
前記第１貯留部が樹脂製部材で形成され、第２貯留部がコンクリート製部材で形成されたことを特徴とする請求項１から４のいずれか１項記載の雨水貯留浸透施設。
【発明の詳細な説明】
【技術分野】
【０００１】
本発明は、地下に埋設された貯留槽に雨水等を貯留及び／又は該貯留槽を介して雨水等を土中に浸透させる雨水貯留浸透施設に関する。
【背景技術】
【０００２】
従来から、地下に雨水等を貯留及び／又は浸透させる施設であって、下部層と上部層の上下２層からなる貯留槽を備え、施設全体が地中に埋設された雨水貯留浸透施設が知られている。
【０００３】
例えば、特許文献１には、互いに異なる材質で形成された下部層（土台枠）と上部層（貯水空間形成用構築体の積層物）とを備えた雨水貯留浸透施設が記載されている。
【特許文献１】特開２００１−９０１６７号公報
【発明の開示】
【発明が解決しようとする課題】
【０００４】
しかしながら、上記特許文献１に記載された雨水貯留浸透施設では、下部層の上に上部層が単に積み重ねられることによって設けられている。
【０００５】
このため、地震による横揺れが生じた場合には、下部層と上部層とが水平方向にずれてしまい、第１貯留部と第２貯留部の上下構造が崩れるおそれがある。
【０００６】
本発明は、このような事情に鑑み創案されたもので、地下に埋設された貯留槽に雨水等を貯留及び／又は該貯留槽を介して雨水等を土中に浸透させる上下２層構造の雨水貯留浸透施設において、上下構造の崩れを防止することを目的とするものである。
【課題を解決するための手段】
【０００７】
上記の目的を達成するため本発明は、地下に埋設された貯留槽に雨水等を貯留及び／又は該貯留槽を介して雨水等を土中に浸透させる雨水貯留浸透施設において、前記貯留槽が、第１貯留部と第２貯留部とから構成され、前記第２貯留部の上面に第１貯留部が配置されるとともに、第１貯留部の第２貯留部に対する水平方向の移動が規制されていることを特徴とする。
【０００８】
この発明によれば、第２貯留部の上面に第１貯留部が配置され、また、第１貯留部の第２貯留部に対する水平方向の移動が規制されているので、第１貯留部と第２貯留部との水平方向のずれを確実に防止することができる。したがって、地震により横揺れが発生した場合であっても、第１貯留部が第２貯留部に対して水平方向にずれることが防止され、第１貯留部と第２貯留部の上下構造が崩れるおそれがなくなる。
【０００９】
本発明は、上記構成の雨水貯留浸透施設において、前記第２貯留部を構成する部材により第１貯留部の第２貯留部に対する水平方向の移動が規制されていることを特徴とする。
【００１０】
この発明によれば、第２貯留部を構成する部材によって、第１貯留部の第２貯留部に対する水平方向の移動が規制されるので、第１貯留部と第２貯留部との水平方向のずれを確実に防止することができる。したがって、地震により横揺れが発生した場合であっても、第１貯留部が第２貯留部に対して水平方向にずれることが防止され、第１貯留部と第２貯留部の上下構造が崩れるおそれがなくなる。
【００１１】
本発明は、上記構成の雨水貯留浸透施設において、前記第１貯留部と第２貯留部の境界部分に規制部材が設けられ、第１貯留部の第２貯留部に対する水平方向の移動が規制されていることを特徴とする。
【００１２】
この発明によれば、第１貯留部と第２貯留部の境界部分に設けられた規制部材によって、第１貯留部の第２貯留部に対する水平方向の移動が規制されるので、第１貯留部と第２貯留部との水平方向のずれを確実に防止することができる。したがって、地震により横揺れが発生した場合であっても、第１貯留部が第２貯留部に対して水平方向にずれることが防止され、第１貯留部と第２貯留部の上下構造が崩れるおそれがなくなる。
【００１３】
本発明は、前記貯留槽が、第１貯留部と、この第１貯留部よりも強度の強い材質で形成された第２貯留部とから構成されたことを特徴とする。
【００１４】
この発明によれば、第１貯留部の第２貯留部に対する水平方向の移動をさらに強く規制することができる。また、埋設深さの深い部分への適用も可能になる。
【００１５】
本発明は、上記構成の雨水貯留浸透施設において、前記第１貯留部が樹脂製部材で形成され、第２貯留部がコンクリート製部材で形成されたことを特徴とする。
【００１６】
この発明によれば、第１貯留部が樹脂製素材で形成されているので、施工性を向上させることができる。
【００１７】
また、第２貯留部がコンクリート製部材で形成されているので、第２貯留部の強度が相当に強いため、第１貯留部の第２貯留部に対する水平方向の移動を確実に規制することができる。したがって、地震により横揺れが発生した場合であっても、第１貯留部が第２貯留部に対して水平方向にずれることが防止され、第１貯留部と第２貯留部の上下構造が崩れるおそれがなくなる。
【００１８】
なお、本発明において、貯留槽・貯留部における用語「貯留」には、貯留及び／又は浸透機能を有することを含むものとする。
【発明の効果】
【００１９】
本発明によれば、地下に埋設された貯留槽に雨水等を貯留及び／又は該貯留槽を介して雨水等を土中に浸透させる上下２層構造の雨水貯留浸透施設において、上下構造の崩れを防止することが可能になる。
【発明を実施するための最良の形態】
【００２０】
＜第１実施形態＞
以下、本発明の一実施形態について、図面を参照して説明する。
【００２１】
図１には、本発明の第１実施形態に係る雨水貯留浸透施設の概略構成が示されている。
【００２２】
この雨水貯留浸透施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、図１に示すように、第１貯留部１Ａと第２貯留部１Ｂが上下２層となるように配置された貯留槽１を備えたものである。
【００２３】
貯留槽１は、地面を平面形状が矩形状に掘下げて造成された掘削部内に設けられ、この掘削部の底面は割栗石等を敷き詰めて突き固めて形成された基礎部とされている。掘削部の底面は、基本的には平坦面となっており、この底面に第２貯留部１Ｂが配置され、第２貯留部１Ｂの上面に第１貯留部１Ａが配置されている。
【００２４】
貯留槽１の上部には、周辺に降った雨水等を集める側溝等から雨水等を導く導水管（図示省略）や貯留槽１が満水になった場合に雨水を放流させるためのオーバーフロー管（図示省略）が接続されており、貯留槽１の下部には、貯留槽１に貯められた雨水を徐々に流出させるオリフィス管（図示省略）が設けられている。
【００２５】
第１貯留部１Ａには、雨水等を重力及び／又は雨水流により所望の方向に誘導する誘導手段を備えた多数の充填部材３が水平に並べられるとともに、上下に重ねられて設置されている。
【００２６】
充填部材３は、例えば図２に示すように、ポリエチレン、ポリプロピレン、塩化ビニル、ポリエチレンテレフタレート等のプラスチックや、これらの廃プラスチック等から形成され、第１貯留部１Ａの空間を確保する４本の柱状の連結部３１と、４本の連結部３１に固定され水平面に対して５度程度の角度で傾斜する傾斜板部３２とから構成されている。
【００２７】
このように充填部材３がプラスチックで形成されているので、第１貯留部１Ａは軽量で施工性がよい。
【００２８】
なお、充填部材３は、連結部３１の上部に連結部材３１０を挟んで積み上げるようにしてもよい。
【００２９】
そして、充填部材３は、例えば、傾斜板部３２により誘導された雨水が、水流を生じさせて、徐々に傾斜板部３２の隙間から落下するように配置されている。このように充填部材３が配置されていることから、土砂等の夾雑物を含む雨水は、集積部１０の方向に誘導されて落下し、夾雑物が集積部１０に自然に集められる。
【００３０】
また、第１貯留部１Ａの周囲は、遮水シート（図示省略）で被覆されており、第１貯留部１Ａの内部空間に雨水を貯留できるように図られている。なお、雨水浸透施設の場合は、遮水シートの代わりに透水シートが用いられる。
【００３１】
第２貯留部１Ｂは、例えば図３に示すように、プレキャストコンクリート製の梁部材４１、柱部材４２、壁部材４３、頂版部材４４、底版部材４５、柱台部材４６を複数個組み合わせて貯留空間を形成するように配置したコンクリートブロック槽４で構成されている。
【００３２】
また、上記した第１貯留部１Ａの集積部１０に対応する第２貯留部１Ｂの上面には、凹部１００が設けられており、第１貯留部１Ａの充填部材３により誘導された雨水は凹部１００の方向に導かれ、夾雑物が凹部１００に集められる。そして、第１貯留部１Ａと第２貯留部１Ｂが連通するように、凹部１００に開口部（図示省略）が設けられている。
【００３３】
したがって、開口部を介して、第１貯留部１Ａから第２貯留部１Ｂに雨水が流入するとともに、集積部１０に集められた雨水中の夾雑物は貯留部１Ｂの特定箇所に排出され、夾雑物を雨水貯留浸透施設外に排出する作業が簡単で、維持管理が容易になる。また、第１貯留部１Ａから開口部を介して第２貯留部１Ｂに流入された雨水は、第２貯留部１Ｂに貯留される。
【００３４】
さらに、第２貯留部１Ｂは、第１貯留部１Ａよりも、その外周の寸法が大きく形成されているとともに、外周の上端部分が上方に向かって延出されており、図１に示すように、第１貯留部１Ａの外周側面の一部が、第２貯留部１Ｂで被覆されている。
【００３５】
したがって、第１貯留部１Ａの第２貯留部１Ｂに対する水平方向の移動が規制され、第１貯留部１Ａと第２貯留部１Ｂとの水平方向のずれを確実に防止することができる。
【００３６】
ここで、第２貯留部１Ｂの外周の上端部分が上方に向かって延出されている部分は、より強固に水平方向の移動を規制する為に、全周にわたって設けるのが好ましい。ただし、全周にわたって設けることに限定されるものではなく、例えば、貯留槽１を平面視した場合に、第１貯留部１Ａの４辺の各１辺の一部分が第２貯留部１Ｂで被覆されるように部分的に設けられていてもよい。また、第２貯留部１Ｂの外周の上端部分が上方に向かって延出されている部分をコンクリートで作る場合、配筋を施し、強度を増すことも好ましい。
【００３７】
なお、図４に示すように、第１貯留部１Ａの外周側面全体が第２貯留部１Ｂで被覆されるようにしてもよい。この場合、第２貯留部１Ｂにより第１貯留部１Ａの外周側面全体が支持されるので、第１貯留部１Ａの第２貯留部１Ｂに対する水平方向の移動が強く規制され、第１貯留部１Ａと第２貯留部１Ｂとの水平方向のずれをより一層確実に防止することができる。
【００３８】
なお、第２貯留部１Ｂを構成するのは、上記したコンクリートブロック槽に限定されるものではなく、例えばボックスカルバートを複数個並設したもので構成してもよい。この場合、施工が簡単で工期をさらに短縮することが可能になる。
＜第２実施形態＞
次に、本発明の他の実施形態について、図面を参照して説明する。
【００３９】
この雨水貯留浸透施設は、図５に示すように、上記実施形態の雨水貯留浸透施設において、第１貯留部１Ａと第２貯留部１Ｂの境界部分に規制部材２が設けられ、第１貯留部１Ａの第２貯留部１Ｂに対する水平方向の移動が規制されている点に特徴を有している。
【００４０】
なお、基本的な構成は上記の雨水貯留浸透施設と同様であるので、同一構成のものについては、同じ符号を付し、詳細な説明を省略する。
【００４１】
規制部材２は、例えば合成樹脂製や鉄製の板状体で形成されており、第１貯留部１Ａと第２貯留部１Ｂの境界部分に対応して、第１貯留部１Ａと第２貯留部１Ｂの外周側面に、接着あるいは螺子止めにより設けられている。このように、規制部材２で、第１貯留部１Ａと第２貯留部１Ｂの外周側面を支持することにより、第１貯留部１Ａの第２貯留部１Ｂに対する水平方向の移動が規制され、第１貯留部１Ａと第２貯留部１Ｂとの水平方向のずれを確実に防止することができる。
【００４２】
以上、本発明の実施の形態について、一例としての実施例について説明したが、上述した実施例に限られるものではない。
【産業上の利用可能性】
【００４３】
本発明は、地下に埋設された貯留槽に雨水等を貯留及び／又は該貯留槽を介して雨水等を土中に浸透させる上下２層構造の雨水貯留浸透施設において、上下構造の崩れを防止することが可能な雨水貯留浸透施設に適用できる。
【図面の簡単な説明】
【００４４】
【図１】本発明に係る雨水貯留浸透施設の一実施形態の断面を模式的に示す概略図である。
【図２】本発明に係る雨水貯留浸透施設の第１貯留部を構成する充填部材の一例を示す斜視図である。
【図３】本発明に係る雨水貯留浸透施設の第２貯留部を構成するコンクリート部材の一例を示す側面図である。
【図４】図１の雨水貯留浸透施設の変形例の断面を模式的に示す概略図である。
【図５】本発明に係る雨水貯留浸透施設の他の実施形態の断面を模式的に示す概略図である。
【符号の説明】
【００４５】
１    貯留槽
１Ａ  第１貯留部
１Ｂ  第２貯留部
２    規制部材
【図１】
2007327294.tif 000003
【図２】
2007327294.tif 000004
【図３】
2007327294.tif 000005
【図４】
2007327294.tif 000006
【図５】
2007327294.tif 000007